(57)【特許請求の範囲】
【請求項１】
平面視において前後方向に沿って延びる長尺状の複数の縦枠と、前記縦枠の前端部どうし及び後端部どうしをそれぞれ連結して平面視において左右方向に沿って延びる長尺状の複数の横枠と、設置場所に複数立設され上端部において前記縦枠と連結される支柱と、前記縦枠の上面に取り付けられ太陽光パネルを取り付け可能とされ平面視において左右方向に沿って延びる複数の取付枠と、を有する太陽光パネル架台であって、
前記支柱の上部には、平板状の挿入板が配設され、
前記挿入板は、上下方向における長さが、前記縦枠の短手方向の長さより長く形成され、下端部に板状に形成された台座板が前記支柱の長手方向に直交する方向に沿って配置され、
前記縦枠には、前記縦枠の短手方向に貫通するとともに前記縦枠の前後方向に沿って挿入板通路が形成され、前記挿入板通路に前記挿入板が挿入可能とされ、
前記縦枠は、一対のＣ形鋼又は溝形鋼と、複数のスペーサと、を備え、
前記Ｃ形鋼又は前記溝形鋼の、断面視において開口する側と反対側の面をそれぞれ対向して配置されるとともに、前記スペーサが、前記Ｃ形鋼又は前記溝形鋼間に平面視における前後方向に間隔を設けて複数配置され、一対の前記Ｃ形鋼又は前記溝形鋼の隙間部分が、前記挿入板通路とされ、
前記縦枠は、前記挿入板通路に前記挿入板が挿入されたときに、前記挿入板を挟着可能に形成されるとともに、前記支柱に対して平面視において前後方向に沿って移動可能とされ、
前記挿入板通路に前記挿入板が挿入された状態で、前記挿入板と前記縦枠と重なり合う部分において、連結部材により、前記縦枠と、前記支柱とが連結されることを特徴とする太陽光パネル架台。
【請求項２】
前記縦枠と、前記横枠と、前記取付枠と、前記支柱と、が異なる形状に形成されていることを特徴とする請求項１記載の太陽光パネル架台。
【発明の詳細な説明】
【技術分野】
【０００１】
本発明は、容易に施工することができる太陽光パネル架台に関する。
【背景技術】
【０００２】
従来の太陽光パネル用架台として、特許文献１に記載されるものがある。これによれば、太陽光パネル用架台は、土台に立設される複数の支柱と、土台の表面と略平行な姿勢で複数の支柱に固定される複数の梁材と、各梁材の上面に複数個取り付けられる角度調整金具と、太陽光パネルの配置角度に応じた角度で各角度調整金具に固定され各太陽光モジュールが載置される架台フレームと、を備えていた。そして、各角度調整金具に対する任意の高さ位置で架台フレームを固定することが可能とされていた。
【先行技術文献】
【特許文献】
【０００３】
【特許文献１】登録実用新案第３１７１８２４号公報
【発明の概要】
【発明が解決しようとする課題】
【０００４】
しかし、上記太陽光パネル用架台では、梁材と架台フレームの連結部分のすべてに角度調整金具を取り付けなければならないため、部品点数が多くなるとともに、施工時に作業工数が多くなるという問題があった。
【０００５】
本発明は、部品点数を少なくして部品の管理を容易にするとともに、施工時に作業工数を少なくすることができる太陽光パネル架台を提供するものである。
【課題を解決するための手段】
【０００６】
請求項１記載の発明では、平面視において前後方向に沿って延びる長尺状の複数の縦枠と、縦枠の前端部どうし及び後端部どうしをそれぞれ連結して平面視において左右方向に沿って延びる長尺状の複数の横枠と、設置場所に複数立設され上端部において縦枠と連結される支柱と、縦枠の上面に取り付けられ太陽光パネルを取り付け可能とされ平面視において左右方向に沿って延びる複数の取付枠と、を有する太陽光パネル架台であって、支柱の上部には、平板状の挿入板が配設され、挿入板は、上下方向における長さが、縦枠の短手方向の長さより長く形成され、下端部に板状に形成された台座板が支柱の長手方向に直交する方向に沿って配置され、縦枠には、縦枠の短手方向に貫通するとともに縦枠の前後方向に沿って挿入板通路が形成され、挿入板通路に挿入板が挿入可能とされ、縦枠は、一対のＣ形鋼又は溝形鋼と、複数のスペーサと、を備え、Ｃ形鋼又は溝形鋼の、断面視において開口する側と反対側の面をそれぞれ対向して配置されるとともに、スペーサが、Ｃ形鋼又は溝形鋼間に平面視における前後方向に間隔を設けて複数配置され、一対のＣ形鋼又は溝形鋼の隙間部分が、挿入板通路とされ、縦枠は、挿入板通路に挿入板が挿入されたときに、挿入板を挟着可能に形成されるとともに、支柱に対して平面視において前後方向に沿って移動可能とされ、挿入板通路に挿入板が挿入された状態で、挿入板と縦枠と重なり合う部分において、連結部材により、縦枠と、支柱とが連結される。
【０００７】
これによれば、挿入板を縦枠の挿入板通路に挿入させて、縦枠と、支柱とを連結部材で連結することにより、角度調整金具のような部材を省くことが可能となるので、部品点数を少なくして部品の管理を容易にするとともに、施工時に作業工数を少なくすることができる。さらに、縦枠が、支柱に対して、前後方向に沿って移動可能となるので、縦枠の前後方向における位置調整を容易に行なうことができる。
【０００９】
これによれば、汎用性のあるＣ形鋼又は溝形鋼で縦枠を構成しているのでコスト削減に寄与する。また、Ｃ形鋼又は溝形鋼は、開口部分を有するので、例えば、ボルトナット等を用いて縦枠と支柱とを連結する場合に、開口部分から作業機器や手を入れることが可能となるので施工作業を容易にすることができる。
【００１０】
また、縦枠と、横枠と、取付枠と、支柱と、を異なる形状に形成すれば、各部材を混同することが無くなるので、作業の迅速化を図ることが可能となる。
【図面の簡単な説明】
【００１２】
【図１】本発明における一実施形態の太陽光パネル架台の平面図である。
【図２】図１のＩＩ−ＩＩ線矢視断面図である。
【図３】同実施形態の側面図である。
【図４】同実施形態の支柱の（ａ）は側面図、（ｂ）は正面図、（ｃ）は平面図である。
【図５】同実施形態の縦枠の（ａ）は平面図、（ｂ）は側面図である。
【図６】同実施形態の縦枠の（ａ）は図５（ａ）のＶＩａ−ＶＩａ線矢視断面図、（ｂ）は図５（ａ）のＶＩｂ−ＶＩｂ線矢視断面図である。
【図７】同実施形態の支柱と縦枠の連結状態を示す部分拡大側面図である。
【図８】同実施形態の横枠の（ａ）は平面図、（ｂ）は正面図、（ｃ）は側面図である。
【図９】同実施形態の横枠と縦枠の連結状態を示す部分拡大正面図である。
【図１０】同実施形態の取付枠の（ａ）は正面図、（ｂ）は底面図、（ｃ）は側面図である。
【図１１】太陽光パネルの取付状態を示す部分側面断面図である。
【発明を実施するための形態】
【００１３】
本発明における太陽光パネル架台の一実施形態を図面に基づいて説明する。以下の説明において、各図面の矢印の、Ｆを前、Ｂを後ろ、Ｒを右、Ｌを左、Ｕを上、Ｄを下、とする。なお、図１では、前後端に位置する取付枠６０はそれぞれ省略してある。
【００１４】
太陽光パネル架台１０は、図１〜３に示すように、支柱２０と、縦枠３０と、横枠５０と、取付枠６０と、を有している。そして、取付枠６０上に太陽光パネル７０が取り付けられている。
【００１５】
支柱２０は、図４に示すように、耐蝕メッキが施された金属で四角筒状に形成され、下端部に矩形平板状の底板２１が支柱２０の長手方向に直交する方向に沿って配置され、上端部に矩形平板状の台座板２２が支柱２０の長手方向に直交する方向に沿って配置されている。台座板２２には、台座板２２から上方に延びる矩形平板状の挿入板２３が設けられている。挿入板２３は、上下方向における長さが、縦枠３０の短手方向の長さより長く形成されている。挿入板２３は、平面視において長手方向となる辺を前後方向に沿わせて配置されている。挿入板２３には、左右方向に貫通する貫通孔２４が二つ設けられている。
【００１６】
支柱２０は、図２、３に示すように、底板２１が設置場所Ｐに敷設された直方体状の基礎コンクリート８０の上面に乗せられ、底板２１を介して図示しないアンカーボルトで基礎コンクリート８０に固定されている。
【００１７】
縦枠３０は、図５（ａ）、（ｂ）、図６（ａ）、（ｂ）、に示すように、耐蝕メッキが施された金属で形成され、一対のＣ形鋼３１と、複数のスペーサ４３と、を有している。なお、縦枠３０は、図３に示すように、左右方向からみて、傾斜して組み付けられているが、傾斜していない状態における説明とする。縦枠３０は、一対のＣ形鋼３１が、断面視において、リップ３２を有する側（開口する側）と反対側の面をそれぞれ対向させて配置されるとともに、矩形平板状のスペーサ４３が、Ｃ形鋼３１間に平面視における前後方向に間隔を設けて四つ配置されている。一対のＣ形鋼３１とスペーサ４３とが重なり合う部分をボルト締めして連結することで、縦枠３０が形成されている。一対のＣ形鋼３１の隙間部分が、挿入板２３が挿入される挿入板通路４２とされている。
【００１８】
縦枠３０は、挿入板通路４２に挿入板２３が挿入されたときに、挿入板２３を挟着可能に形成されるとともに、支柱２０に対して平面視において前後方向に沿って摺動可能とされている。つまり、挿入板２３の左右方向における厚みと、一対のＣ形鋼３１の隙間部分の左右方向における長さが略同一に形成されている。
【００１９】
Ｃ形鋼３１の支柱２０の挿入板２３との連結部分（挿入板２３と縦枠３０と重なり合う部分）には、貫通孔３３が二つ設けられ、内側にナット３４が貫通孔３３に対応した位置に取り付けられている。
【００２０】
一対のＣ形鋼３１の上壁には、図１１に示すように、上下方向に貫通する貫通孔３５が設けられ、内側にナット３６が貫通孔３５に対応した位置に取り付けられている。
【００２１】
縦枠３０の、前端部及び後端部には、平面視において、前後方向に延びる前後板３８と、左右方向に延びる左右板３９と、を有し、断面Ｌ字状に形成された左右一対のステー３７が左右方向にそれぞれ突出するように配設されている。ステー３７は、前後板３８において、Ｃ形鋼３１に取り付けられている。各ステー３７の左右板３９には、貫通孔４０が設けられ内側にナット４１が貫通孔４０に対応した位置に取り付けられている。
【００２２】
図７に示すように、縦枠３０の挿入板通路４２に挿入板２３が挿入され、挿入板２３と一対のＣ形鋼３１と重なり合う部分において、縦枠３０の貫通孔３３と挿入板２３の貫通孔２４とを位置合わせし、連結部材４４としてのボルトナットを用いて締結することで、縦枠３０と、支柱２０とが連結されている。本実施形態では、前後方向の二か所で、縦枠３０と、支柱２０とが連結され、縦枠３０が、左右方向からみて、斜め後ろに傾斜して配置されている。
【００２３】
横枠５０は、図８に示すように、耐蝕メッキが施された金属で形成され、Ｃ形鋼が用いられている。なお、横枠５０は、図３に示すように、左右方向からみて、傾斜して組み付けられているが、傾斜していない状態における説明とする。横枠５０の左右方向における端部には、貫通孔５１が左右方向に沿って二つ設けられ、内側にナット５２が貫通孔５１に対応した位置に取り付けられている。
【００２４】
図９に示すように、横枠５０の貫通孔５１と、ステー３７の左右板３９の貫通孔４０と、が位置合わせされ、ボルトナット締めされて縦枠３０と横枠５０とが連結されている。なお、左右の端部に配置される横枠５０は、縦枠３０の内側となるＣ形鋼３１と連結される。
【００２５】
取付枠６０は、図１０に示すように、耐蝕メッキが施された金属で形成され、Ｃ形鋼が用いられている。なお、取付枠６０は、図３に示すように、左右方向からみて、傾斜して組み付けられているが、傾斜していない状態における説明とする。取付枠６０の左右方向における端部には、リップ６１の間に架け渡されるように矩形平板状のプレート６２がそれぞれ配設されている。プレート６２の中央部分には、前後方向に貫通する貫通孔６３が設けられ内側にナット６４が貫通孔６３に対応した位置に取り付けられている。
【００２６】
図１１に示すように、Ｃ形鋼３１の貫通孔３５と、取付枠６０の貫通孔６３と、が位置合わせされ、ボルトナット締めされて縦枠３０と取付枠６０とが連結されている。なお、左右の端部に配置される取付枠６０は、縦枠３０の外側となるＣ形鋼３１と連結される。
【００２７】
太陽光パネル７０は、図１１に示すように、取付枠６０の上面に配置され、矩形平板状の取付板７２と、Ｌ字状に屈曲した断面視において取付板７２の両端部から延びる押さえ板７３と、を有した取付ブラケット７１で、太陽光パネル７０の上面及び側面が押さえられ、矩形平板状の取付板７５と、Ｌ字状に屈曲した断面視において取付板７５の一の端部から延びる押さえ板７６と、を有した取付ブラケット７４で、太陽光パネル７０の前後面が取付枠６０に押さえられることで太陽光パネル７０が固定される。
【００２８】
なお、支柱２０と、縦枠３０と、横枠５０と、取付枠６０とは、施工作業時に部材の取り間違えを防止するため、互いに異なる形状に形成されている。
【００２９】
太陽光パネル架台１０の施工方法を説明する。
【００３０】
設置場所Ｐの地盤Ｇを屈削して形成された凹部内に、図２、３に示すように、基礎コンクリート８０を敷設する（第一工程）。基礎コンクリート８０の上面に支柱２０を乗せ、底板２１を介してアンカーボルトで基礎コンクリート８０に支柱２０を固定する。
【００３１】
縦枠３０の挿入板通路４２に挿入板２３を挿入し、縦枠３０の前後方向における位置、角度を決めて、縦枠３０の貫通孔３３と挿入板２３の貫通孔２４とを位置合わせし、図７に示すように、連結部材４４としてのボルトナットを用いて締結して、縦枠３０と支柱２０とを連結する（第二工程）。
【００３２】
縦枠３０が、支柱２０に連結されたら、ステー３７の左右板３９の貫通孔４０と、横枠５０の貫通孔５１とを位置合わせして、図９に示すように、ボルトナット締めして縦枠３０と横枠５０を連結する（第三工程）。設置される太陽光パネル７０の数に応じて、以上の工程を繰り返す。
【００３３】
取付枠６０の貫通孔６３と、縦枠３０の貫通孔３５とを位置合わせし、図１１に示すように、ボルトナット締めして縦枠３０の上面に取付枠６０を取り付けて（第四工程）、太陽光パネル架台１０の施工が完成する。
【００３４】
そして、図１１に示すように、取付枠６０の上面に、太陽光パネル７０を乗せるとともに、取付ブラケット７１及び取付ブラケット７４で太陽光パネル７０が取付枠６０に押さえられることで太陽光パネル７０が固定される。
【００３５】
太陽光パネル架台１０の機能作用を説明する。
【００３６】
縦枠３０が、支柱２０に対して、前後方向に沿って移動可能となるので、縦枠３０の前後方向における位置調整を容易に行なうことができる。スペーサ４３の位置が挿入板２３に干渉するような場合であっても、現場で配置位置を変更することができる。
【００３７】
また、挿入板２３の上下方向における長さが、縦枠３０の短手方向における幅より長く形成されているので、縦枠３０を支柱２０に取り付けるときに、現場で取り付け角度を柔軟に設定することができる。
【００３８】
上記構成の太陽光パネル架台１０では、平面視において前後方向に沿って延びる長尺状の複数の縦枠３０と、縦枠３０の前端部どうし及び後端部どうしをそれぞれ連結して平面視において左右方向に沿って延びる長尺状の複数の横枠５０と、設置場所Ｐに複数立設され上端部において縦枠３０と連結される支柱２０と、縦枠３０の上面に取り付けられ太陽光パネル７０を取り付け可能とされ平面視において左右方向に沿って延びる複数の取付枠６０と、を有する太陽光パネル架台であって、支柱２０の上部には、平板状の挿入板２３が配設され、縦枠３０には、縦枠３０の短手方向に貫通するとともに縦枠３０の前後方向に沿って挿入板通路４２が形成され、挿入板通路４２に挿入板２３が挿入可能とされ、縦枠３０は、挿入板通路４２に挿入板２３が挿入されたときに、挿入板２３を挟着可能に形成されるとともに、支柱２０に対して平面視において前後方向に沿って移動可能とされ、挿入板通路４２に挿入板２３を挿入させて、挿入板２３と縦枠３０と重なり合う部分において、連結部材４４（ボルトナット）により、縦枠３０と、支柱２０とが連結される。
【００３９】
これによれば、挿入板２３を縦枠３０の挿入板通路４２に挿入させて、縦枠３０と、支柱２０とを連結部材４４で連結することにより、角度調整金具のような部材を省くことが可能となるので、部品点数を少なくして部品の管理を容易にするとともに、施工時に作業工数を少なくすることができる。さらに、縦枠３０が、支柱２０に対して、前後方向に沿って移動可能となるので、縦枠３０の前後方向における位置調整を容易に行なうことができる。
【００４０】
また、縦枠３０は、一対のＣ形鋼３１と、複数のスペーサ４３と、を備え、Ｃ形鋼３１の、断面視において開口する側と反対側の面をそれぞれ対向させて配置されるとともに、スペーサ４３が、Ｃ形鋼３１間に平面視における前後方向に間隔を設けて複数配置され、一対のＣ形鋼３１の隙間部分が、挿入板２３が挿入される挿入板通路４２とされている。
【００４１】
これによれば、汎用性のあるＣ形鋼３１で縦枠３０を構成しているのでコスト削減に寄与する。また、Ｃ形鋼３１は、開口部分を有するので、例えば、ボルトナット等を用いて縦枠３０と支柱２０とを連結する場合に、開口部分から作業機器や手を入れることが可能となるので施工作業を容易にすることができる。
【００４２】
また、支柱２０と、縦枠３０と、横枠５０と、取付枠６０と、を異なる形状に形成しているので、各部材を混同することが無くなるので、作業の迅速化を図ることが可能となる。
【００４３】
また、設置場所Ｐに支柱２０を複数立設する第一工程と、挿入板通路４２に挿入板２３を挿入させて、挿入板２３と縦枠３０とが重なり合う部分において、連結部材４４により、縦枠３０と、支柱２０とを連結する第二工程と、縦枠３０の前端部どうし及び後端部どうしを横枠５０でそれぞれ連結する第三工程と、取付枠６０を、縦枠３０の上面に取り付ける第四工程と、を経て行なうので、好適に太陽光パネル架台１０を施工することが可能となる。
【００４４】
本発明の太陽光パネル架台１０は上記構成に限定されるものではない。即ち、本発明の要旨を逸脱しない限り各種の設計変更等が可能である。
【００４５】
例えば、縦枠３０、横枠５０、取付枠６０をリップの無い溝形鋼で構成することも可能である。
【００４６】
また、支柱２０、縦枠３０、横枠５０、取付枠６０の連結は、ボルトナット締めにはこだわらない。既存の全ての連結方法を適用することができる。
【００４７】
また、挿入板通路４２は、例えば、縦枠３０を長尺状の角柱状に形成して、短手方向に沿って貫通する貫通孔で形成することも可能である。
【符号の説明】
【００４８】
１０  太陽光パネル架台
２０  支柱
２３  挿入板
３０  縦枠
３１  Ｃ形鋼
４２  挿入板通路
４３  スペーサ
４４  連結部材
５０  横枠
６０  取付枠
７０  太陽光パネル
８０  基礎コンクリート
Ｐ  設置場所
【図１】
0005886330.tif 000002
【図２】
0005886330.tif 000003
【図３】
0005886330.tif 000004
【図４】
0005886330.tif 000005
【図５】
0005886330.tif 000006
【図６】
0005886330.tif 000007
【図７】
0005886330.tif 000008
【図８】
0005886330.tif 000009
【図９】
0005886330.tif 000010
【図１０】
0005886330.tif 000011
【図１１】
0005886330.tif 000012